(57)【要約】【課題】  内側と外側のラグセグメントの取付けピッチを１／２にずらしてタイヤの振動、騒音を防止できるラグセグメントを備えたタイヤを提供する【解決手段】  リムの外周方向に多数個隣接して取付けられるラグセグメントを備えたタイヤにおいて、前記ラグセグメントは、前記リムの幅方向内側と外側とに２列に配置され、かつ、外側のラグセグメントに対して内側のラグセグメントを１／２ピッチずらして取付けたことを特徴とするラグセグメントを備えたタイヤ。【選択図】        図１３
2006089036.tif 000002
【特許請求の範囲】
【請求項１】
リム(15)の外周方向に多数個隣接して取付けられるラグセグメント(21)(21A)を備えたタイヤにおいて、
前記ラグセグメント(21)を、前記リム(15)の幅方向内側と外側とに２列に配置し、
かつ、外側のラグセグメント(21)に対して内側のラグセグメント(21)を１／２ピッチずらして取付けた
ことを特徴とするラグセグメント(21)を備えたタイヤ。
【請求項２】
リム(15)の外周方向に多数個隣接して取付けるラグセグメント(21)を備えたタイヤにおいて、
前記リム(15)に円周上に設けられて駆動装置とリム(15)とを連結する複数の取付け孔(20B,20B)の数ｂと、
リム(15)の外周方向に取付けられる前記ラグセグメント(21)の数Ｓと、
自然数ｎとの間に、
Ｓ＝（２ｎ−１）×ｂ／２
なる関係があるように取付け孔(20B,20B)の数ｂ及びラグセグメント(21)の数Ｓを定めた
ことを特徴とするラグセグメント(21)を備えたタイヤ。
【請求項３】
リム(15)の外周方向に多数個隣接して取付けるラグセグメント(21)を備えたタイヤにおいて、
前記リム(15)に駆動装置とリム(15)とを連結する複数の取付け孔(20B,20B)が円周上に設けられ、
前記取付け孔(20B,20B)の２ピッチの間に、
前記ラグセグメント(21)がリム(15)の外周方向に奇数個配設される
ことを特徴とするラグセグメント(21)を備えたタイヤ。
【請求項４】
駆動装置に連結されるリム(15)と、このリム(15)の外周方向に多数個隣接して取付けるラグセグメント(21)とを備えたタイヤを２個並列に配設したタイヤにおいて、
一方のリム(15)に設けた複数の取付け孔(20B)のうちの基準となる取付け孔(20B)の基準点Ａと、
一方のリム(15)の基準点Ａから所定の取付け孔(20B)ピッチずらした位置に設ける他方のリム(15)の取付け孔(20B)の基準点Ｂを設定するとともに、
前記一方のリム(15)の基準点Ａと前記他方のリム(15)の基準点Ｂを所定位置で前記駆動装置(10)と連結し、
かつ、一方のタイヤに配設されるラグセグメント(21)に対して他方のタイヤに配設されるラグセグメント(21)がリム(15)の外周方向に１／２ピッチずれるように構成した
ことを特徴とするラグセグメント(21)を備えたタイヤ。
【発明の詳細な説明】
【技術分野】
【０００１】
本発明は、装輪式建設車両のタイヤに係る。
【背景技術】
【０００２】
従来のラグセグメントを備えたタイヤについて、図１９乃至図２５により説明する。図１９に示すように、リム１５の外周方向にラグセグメント２１が多数個ボルト２０Ａにより取付けている。図示しない駆動装置にリム１５を取付けるために、リム１５の取付け孔１５ａは円周上に１０ケ所設けている。図１９のＸ視図の図２０は、シングルタイヤを示しており、Ｖ型のラグセグメント２１が所定の間隔でボルト２０Ａによりリム１５に取付けている。図２１はダブルタイヤの例を示しており、リム１５に対して２列の内側と外側のラグセグメント２１，２１の取付けピッチを同一としている。
【０００３】
図２０に示す、１つのリム１５にＶ型のラグセグメントを取付けて左タイヤとして用いて、この左タイヤを右タイヤとして用いるために反転するとラグセグメント２１が逆Ｖ型となり使用できない。このため、従来はシングルタイヤの場合は左右タイヤ用として２種類のリムを準備している。
【０００４】
また、図２２（ａ）に示すように、Ｖ型のラグセグメント２１の取付け孔Ｍ1〜Ｑ4がリム１５に明けられている。図２２（ａ）に示す状態にＶ型のラグセグメント２１を取付けるときに用いる取付け孔はＭ1,Ｍ2,Ｍ3,Ｍ4である。図示しない隣り合うラグセグメントの取付け孔はＱ1,Ｑ2,Ｑ3,Ｑ4である。図２３（ａ），図２３（ｂ）はラグセグメント２１を備えた左側タイヤを示している。この左側タイヤを反転して右側タイヤに用いるときは、図２２（ｂ）に示すように、ラグセグメント２１を逆Ｖ型の状態にして取付け孔Ｎ1,Ｑ2,Ｑ3,Ｎ2を用いて取付けて、その後反転すれば図２４（ａ），図２４（ｂ）のＶ型のラグセグメントと同じ向きにすることはできる。
【０００５】
ところで、図２１に示すダブルタイヤとして使用する場合は、内側と外側のラグセグメント２１，２１の取付けピッチが同一となり、タイヤからの振動および騒音が大きいとの問題を抱えているのが実情である。このため、ダブルタイヤとして使用する場合は４種類のリムを準備している。
【０００６】
さらに、ラグセグメントを備えたタイヤを装着した装輪式建設車両が凍結した道路等を走行する場合には、図２５に示すように、リム１５の外周方向に複列に取着されたラグセグメントを備えたタイヤ２１，２１の全体を覆うタイヤチェーン２２Ａを装着している。このタイヤチェーン２２Ａは、一般車両のダブルタイヤに用いるものではなく、特に幅の広いタイヤチェーンを用意している。
【発明の開示】
【発明が解決しようとする課題】
【０００７】
しかしながら、前述の如くリムを数種類準備することはコスト高となる。また、Ｖ型のラグセグメントを左右タイヤに取付けるためには、図２２（ａ），図２２（ｂ）に示すように、左側タイヤとして用いるときには使用しないで、右側タイヤとして用いるときに使用する取付け孔Ｎ1,Ｎ2,Ｐ1,Ｐ2をリムに追加工しておく必要があり製作工数大である。
【０００８】
また、図１９に示すように、従来のリム１５の取付け孔１５ａは円周上に１０ケ所設けており、隣り合う取付け孔１５ａ，１５ａの角度θ3は３６°である。ラグセグメント２１は円周上に２２個設けており、ラグセグメント２１の１ケの取付け角度は３６０°／２２＝１６．３６°である。この取付け孔１５ａ，１５ａの角度θ3（３６°）の範囲内に装着できるラグセグメント２１の数は、３６°／１６．３６°＝２．２個である。したがって、本発明の図４に示すように、シングルタイヤを２個使用してダブルタイヤとして装着する場合、ダブルタイヤの内側のラグセグメント２１に対して、外側のラグセグメント２１を１／２ピッチずらすことができない。前述の如くダブルタイヤの場合は、タイヤからの振動および騒音を低減するために、内側と外側のラグセグメント２１，２１の取付けピッチを１／２ずらす必要がある。
【０００９】
また、装輪式建設車両が凍結した道路等を走行するときにタイヤチェーンを装着する場合、前述のように、複列のラグセグメントを備えたタイヤの全体を覆う幅の広いタイヤチェーンを特別に準備する必要があり、コストも高くなる。さらに、車体の外側端部とタイヤとの隙間が狭い場合は、タイヤチェーンが車体に接触するという問題がある。
【００１０】
本発明は、上記従来技術の問題点に着目し、内側と外側のラグセグメントの取付けピッチを１／２にずらしてタイヤの振動、騒音を防止できるラグセグメントを備えたタイヤを提供することを目的とする。
【課題を解決するための手段】
【００１１】
上記の目的を達成するために、第１発明は、リムの外周方向に多数個隣接して取付けられるラグセグメントを備えたタイヤにおいて、前記ラグセグメントを、前記リムの幅方向内側と外側とに２列に配置し、かつ、外側のラグセグメントに対して内側のラグセグメントを１／２ピッチずらして取付けている。
また第２発明は、リムの外周方向に多数個隣接して取付けるラグセグメントを備えたタイヤにおいて、前記リムに円周上に設けられて駆動装置とリムとを連結する複数の取付け孔の数ｂと、リムの外周方向に取付けられる前記ラグセグメントの数Ｓと、自然数ｎとの間に、Ｓ＝（２ｎ−１）×ｂ／２なる関係があるように取付け孔の数ｂ及びラグセグメントの数Ｓを定めている。
また第３発明は、リムの外周方向に多数個隣接して取付けるラグセグメントを備えたタイヤにおいて、前記リムに駆動装置とリムとを連結する複数の取付け孔が円周上に設けられ、前記取付け孔の２ピッチの間に、前記ラグセグメントがリムの外周方向に奇数個配設されている。
また第４発明は、駆動装置に連結されるリムと、このリムの外周方向に多数個隣接して取付けるラグセグメントとを備えたタイヤを２個並列に配設したタイヤにおいて、前記一方のリムに設けた複数の取付け孔のうちの基準となる取付け孔の基準点Ａと、一方のリムの基準点Ａから所定の取付け孔ピッチずらした位置に設ける他方のリムの取付け孔の基準点Ｂを設定するとともに、前記一方のリムの基準点Ａと前記他方のリムの基準点Ｂを所定位置で前記駆動装置と連結し、かつ、一方のタイヤに配設されるラグセグメントに対して他方のタイヤに配設されるラグセグメントがリムの外周方向に１／２ピッチずれるように構成している。
【発明の効果】
【００１２】
第１発明によれば、内側と外側のラグセグメントの取付けピッチを１／２ずらすことによりタイヤからの振動、騒音を低減できる。
また第２発明により、シングルタイヤを２個使用して、ダブルタイヤとして装着する場合、内側タイヤと外側タイヤのラグセグメントの取付けピッチを１／２ずらすことができる。したがって、内側タイヤと外側タイヤのラグセグメントの取付けピッチを１／２ずらすことができるのでタイヤからの振動、騒音を低減できる。
また第３発明により、例えば、図１０に示すように、取付け孔の数が１０のときには、取付け孔の２ピッチ（１ピッチ＝Ｐ1）の間に奇数個のラグセグメントを配置すれば良いことになる。図１０では５個のラグセグメントを配置した例である。これにより、シングルタイヤを２個使用して、ダブルタイヤとして装着する場合、内側タイヤと外側タイヤのラグセグメントの取付けピッチを１／２ずらすことができる。したがって、内側タイヤと外側タイヤのラグセグメントの取付けピッチを１／２ずらすことができるのでタイヤからの振動、騒音を低減できる。
また第４発明によれば、図１１に示す油圧モータ等の駆動装置と、リムとを取付けるために用いる図示しないボルトの取付け孔の基準点Ａに対して、ラグセグメントが１／２ピッチずれるようにした取付け孔の基準点Ｂを配置するようにしたものである。図１１に示す状態は、取付け孔の取付けピッチに対して基準点Ａから基準点Ｂまでは５ピッチとしてあり、その５ピッチ間にラグセグメント２１が５．５個リムに配設されるようにしてある。これにより、前記内側タイヤと外側タイヤのラグセグメントの取付けピッチを１／２ずらすことができる。なお、前記取付け孔の基準点Ａと基準点Ｂとは、タイヤの組立てし易さを考慮して適宜位置を変更、あるいは、複数箇所設けるようにしても良い。すなわち、前記取付け孔の取付けピッチに対して基準点Ａから基準点Ｂまでは図１１に示す５ピッチでなくても良く、例えば前記取付け孔の基準点Ａから基準点Ｂまでを３ピッチとした場合は、その３ピッチ間にラグセグメントの個数が２．５，３．５，４．５……と１／２個ずれるようにすれば良い。したがって、内側タイヤと外側タイヤのラグセグメントの取付けピッチを１／２ずらすことができるのでタイヤからの振動、騒音を低減できる。
【発明を実施するための最良の形態】
【００１３】
以下に、本発明に係るラグセグメントを備えたタイヤの一実施例について図１乃至図１８により説明する。尚、図１９乃至図２５と同一符号を付したものは同一である。先ず、図１に示す装輪式建設車両５は、タイヤ２０を回転自在に配設する下部走行体１、運転室３を載置する上部旋回体２およびブーム、アームおよびバケットからなる作業機４を装備している。図２に示すように、油圧モータ等の駆動装置１０にリム１５，１５を連結している。このリム１５，１５には、ゴム等の弾性体で形成されるラグセクセメント２１，２１がボルト２０Ａ，２０Ａで固着されている。図２はダブルタイヤの構造を示しているが、シングルタイヤであっても良い。また、図２に示す、ダブルタイヤは、シングルタイヤ用のリム１５，１５を２個連結するようにしてあり、シングルタイヤ用のリムとしても用いることができる。次に、図２のＺ視図の図３，図３のＹ視図の図４R>４，図４のＡ−Ａ断面図の図５について説明する。駆動装置１０はリム１５を回転自在に連結している。リム１５の外周に多数のＶ型に形成されたラグセグメント２１，２１が所定の間隔で配置され、ボルト２０Ａで固着されている。ラグセグメント２１の取付けボルト２０Ａは図では４本であるが、ボルト本数はリムの大きさ等により適宜増減されるものである。図３，図５に示すように、ラグセグメント２１は中空部２１ｂを設けている。この中空部２１ｂを略Ｕ字形状、あるいは、略コ字形状にする突起部２１ｃを設けている。ダブルタイヤの内側と外側のラグセグメント２１，２１を１／２ピッチずらす構成は後述するが、図４に示すように外側のラグセグメント２１の１ピッチＰ1に対して、内側のラグセグメント２１は１／２ピッチＰ2ずらしてある。このように、外側に対して内側（あるいは内側に対して外側）のラグセグメントを１／２ピッチずらすことにより、走行時のタイヤの振動、騒音を低減することができる。また、本発明の実施例では、ラグセグメントにボルトを固着しておいて、このボルトに対向するリムに取付け孔を設ける。このラグセグメントに固着するボルトをリムの取付け孔に挿入して締着するようにしても良い。また、ラグセグメントに取付け孔を設けると共に、このラグセグメントの取付け孔に対向するリムに取付け孔を設ける。このラグセグメントの取付け孔とリムの取付け孔とを位置決めしてボルトを挿入して締着するようにしても良い。
【００１４】
本発明に係るラグセグメントを備えたタイヤの第１実施例を図６（ａ），図６（ｂ）により説明する。Ｖ型のラグセグメント２１およびリム１５には、それぞれ取付け孔Ａ1〜Ａ3がリム１５に明けられている。図６（ａ）に示すように、リム１５の幅はＷである。Ｖ型のラグセグメント２１の取付け孔（Ａ1〜Ａ3,またはＢ1〜Ｂ3,Ｃ1〜Ｃ3……）を３箇所とし、その取付け孔間隔Ａ，ラグセグメント２１の取付けピッチをＢ，ラグセグメント２１のＶ字の角度θとしたときに、
Ｂ＝２Ａｔａｎα（但し、α＝（π−θ）／２，２Ａ＜Ｗ）
これによりラグセグメント２１の取付けピッチＢが設定される。このように、Ｖ型のラグセグメント２１の取付け孔（Ａ1〜Ａ3,……）を設定することにより、ラグセグメント２１を図６（ｂ）の逆Ｖ型の状態にして取付け孔Ａ1,Ｂ2,Ａ3を用いて取付けることができる。したがって、従来の図２２（ａ），図２２（ｂ）で説明したラグセグメント２１を逆Ｖ型の状態にして取付けるときに、新たに取付け孔を追加工すること無しに左側タイヤ用リムと右側タイヤ用リムを共通化できる。
【００１５】
本発明に係るラグセグメントを備えたタイヤの第２実施例を図７（ａ），図７（ｂ）により説明する。図７（ａ），図７（ｂ）は、Ｖ型のラグセグメント２１の取付け孔（Ｄ1〜Ｄ4,またはＥ1〜Ｅ4）を４箇所とした場合でも、前記図６（ａ），図６（ｂ）と同様の関係が成り立つ。図７（ａ）に示すように、リム１５の幅はＷ，Ｃは任意に設定する。Ｖ型のラグセグメント２１の取付け孔（Ｄ1〜Ｄ4,またはＥ1〜Ｅ4）を４箇所とし、その取付け孔Ｄ1-Ｄ2,Ｄ3-Ｄ4間隔Ａ，ラグセグメント２１の取付けピッチをＢ，ラグセグメント２１のＶ字の角度θとしたときに、
Ｂ＝２Ａｔａｎα（但し、α＝（π−θ）／２，２（Ａ＋Ｃ）＜Ｗ）
これによりラグセグメント２１の取付けピッチＢが設定される。このように、Ｖ型のラグセグメント２１の取付け孔（Ｄ1〜Ｄ4,……）を設定することにより、ラグセグメント２１を図６（ｂ）の逆Ｖ型の状態にして取付け孔Ｄ1,Ｅ2,Ｅ3,Ｄ4を用いて取付けることができる。したがって、従来の図２２（ａ），図２２（ｂ）で説明したラグセグメント２１を逆Ｖ型の状態にして取付けるときに、新たに取付け孔を追加工すること無しに左側タイヤ用リムと右側タイヤ用リムを共通化できる。また、ラグセグメント２１の取付け孔を２個，５個，６個……とした場合でも前記図６（ａ），図６（ｂ）と同様の関係が成り立つことは言うまでもない。
【００１６】
本発明に係るラグセグメントを備えたタイヤの第３実施例を図８（ａ），図８（ｂ）により説明する。ストレート形状のラグセグメント２１Ａの取付け孔（Ｆ1〜Ｆ3,またはＧ1〜Ｇ3,Ｈ1〜Ｈ3）を３箇所とした場合でも、前記図６（ａ），図６（ｂ）と同様の関係が成り立つ。図８（ａ）に示すように、リム１５の幅はＷである。ストレート形状のラグセグメント２１Ａの取付け孔（Ｆ1〜Ｆ3…）を３箇所とし、その取付け孔Ｆ1-Ｆ2,Ｆ2-Ｆ3の間隔Ａ，ラグセグメント２１Ａの取付けピッチをＢとしたときに、Ｂ＝２Ａｔａｎα（但し、２Ａ＜Ｗ）
これによりラグセグメント２１Ａの取付けピッチＢが設定される。このように、ストレート形状のラグセグメント２１Ａの取付け孔（Ｆ1〜Ｆ3…）を設定することにより、ラグセグメント２１Ａを図８（ｂ）の左下がりの状態にして取付け孔Ｈ1,Ｇ2,Ｆ3を用いて取付けることができる。したがって、ラグセグメントを逆向きのストレート型の状態にして取付けるときに、新たに取付け孔を追加工すること無しに左側タイヤ用リムと右側タイヤ用リムを共通化できる。
【００１７】
本発明に係るラグセグメントを備えたタイヤの第４実施例を図９（ａ），図９（ｂ）により説明する。ストレート形状のラグセグメント２１Ｂの取付け孔（Ｉ1〜Ｉ4,またはＪ1〜Ｊ4,Ｋ1〜Ｋ4,Ｌ1）を４箇所とした場合でも、前記図６（ａ），図６（ｂ）と同様の関係が成り立つ。図９（ａ）に示すように、リム１５の幅はＷである。ストレート形状のラグセグメント２１Ｂの取付け孔（Ｉ1〜Ｉ4…）を４箇所とし、その取付け孔Ｉ1-Ｉ2,Ｉ2-Ｉ3,Ｉ4の間隔Ａ，ラグセグメント２１Ｂの取付けピッチをＢとしたときに、Ｂ＝２Ａｔａｎα（但し、３Ａ＜Ｗ）
これによりラグセグメント２１Ｂの取付けピッチＢが設定される。このように、ストレート形状のラグセグメント２１Ｂの取付け孔（Ｉ1〜Ｉ4…）を設定することにより、ラグセグメント２１Ｂを図９（ｂ）の左下がりの状態にして取付け孔Ｌ1,Ｋ2,Ｊ3,Ｉ4を用いて取付けることができる。したがって、ラグセグメントを逆向きのストレート型の状態にして取付けるときに、新たに取付け孔を追加工すること無しに左側タイヤ用リムと右側タイヤ用リムを共通化できる。また、ラグセグメント２１の取付け孔を２個，５個，６個……とした場合でも前記図６（ａ），図６（ｂ）と同様の関係が成り立つことは言うまでもない。
【００１８】
本発明に係るラグセグメントを備えたタイヤの第５実施例を図１乃至図４を参照して、図１０，表１により説明する。
【００１９】
【表１】
2006089036.tif 000003
【００２０】
第５実施例は、前述の図１９に示す従来のリム１５の取付け孔１５ａが１０ケ所では、図４に示す内側と外側のラグセグメント２１，２１の取付けピッチを１／２ずらすことはできないので、タイヤからの振動、騒音を低減することができないとの問題点を改良するものである。図１０に示すように、リム１５に設けられた取付け孔２０Ｂを用いて図示しないボルトにより油圧モータ等の駆動装置１０に取着している。このリム１５の円周上に複数のラグセグメント２１がボルト２０Ａにより締着している。本実施例の要旨とするところは、図１０に示す油圧モータ等の駆動装置１０と、リム１５とを取付けるために用いる図示しないボルトの取付け孔２０Ｂの数と、リム１５の円周上に取付けるラグセグメント２１の数との関係を下記式により求めるようにしたものである。ここで、ｎは自然数、ｂは取付け孔２０Ｂの数、Ｓはラグセググセントの数としたときに、
Ｓ＝（２ｎ−１）×ｂ／２
この式により決定されるラグセグメントの数Ｓは、表１に示すように、例えば、取付け孔２０Ｂの数ｂが１０のときは、ラグセグメントの数Ｓを５または１５，２５，３５，４５のうちのいずれかを選択すれば良い。図１０に示すように、取付け孔２０Ｂの数ｂが１０のときには、取付け孔２０Ｂの２ピッチ（１ピッチ＝Ｐ1）の間に奇数個のラグセグメント２１を配置すれば良いことになる。図１０では５個のラグセグメント２１を配置した例である。これにより、シングルタイヤを２個使用して、ダブルタイヤとして装着する場合、内側タイヤと外側タイヤのラグセグメント２１，２１の取付けピッチを１／２ずらすことができる。
【００２１】
本発明に係るラグセグメントを備えたタイヤの第６実施例を図１乃至図４を参照して、図１１により説明する。前述の図１９に示す従来のリム１５の取付け孔１５ａが１０ケ所では、図４に示す内側と外側のラグセグメント２１，２１の取付けピッチを１／２ずらすことはできないので、タイヤからの振動、騒音を低減することができないとの問題点を改良するものである。図１１１１に示すように、リム１５に設けられた取付け孔２０Ｂを用いて図示しないボルトにより油圧モータ等の駆動装置１０に取着している。このリム１５の円周上に複数のラグセグメント２１がボルト２０Ａにより締着している。本実施例の要旨とするところは、図１１に示す油圧モータ等の駆動装置１０と、リム１５とを取付けるために用いる図示しないボルトの取付け孔２０Ｂの基準点Ａに対して、ラグセグメント２１が１／２ピッチずれるようにした取付け孔２０Ｂの基準点Ｂを配置するようにしたものである。図１１に示す状態は、取付け孔２０Ｂの取付けピッチＰ1に対して基準点Ａから基準点Ｂまでは５ピッチとしてあり、その５ピッチ間にラグセグメント２１が５．５個リム１５に配設されるようにしてある。これにより、シングルタイヤを２個使用して、ダブルタイヤとして装着する場合、内側タイヤと外側タイヤのラグセグメント２１，２１の取付けピッチを１／２ずらすことができる。なお、前記取付け孔２０Ｂの基準点Ａと基準点Ｂとは、タイヤの組立てし易さを考慮して適宜位置を変更、あるいは、複数箇所設けるようにしても良い。すなわち、前記取付け孔２０Ｂの取付けピッチＰ1に対して基準点Ａから基準点Ｂまでは図１０に示す５ピッチでなくても良く、例えば前記取付け孔２０Ｂの基準点Ａから基準点Ｂまでを３ピッチとした場合は、その３ピッチ間にラグセグメント２１の個数が２．５，３．５，４．５……と１／２個ずれるようにすれば良い。
【００２２】
本発明に係るラグセグメントを備えたタイヤの第７実施例を図１２および図１３により説明する。なお、図１２は正面図であり、側面図は図３と同一であり、図１３は図３のＹ矢視図である。リム１５Ａは駆動装置１０に回転自在に連結している。リム１５Ａの幅Ｗ１は図６に示したリム１５の幅Ｗに比して十分に広く、ラグセグメント２１を２列に配置できるだけの幅を有している。すなわち、リム１５Ａの外周方向にはＶ形状のラグセグメント２１が内側と外側の２列にボルト２０Ａで締着され、ダブルタイヤ２０を構成している。ダブルタイヤ２０の外側と内側のラグセグメント２１，２１は、図１３に示すように外側のラグセグメント２１の１ピッチＰ１に対して、内側のラグセグメント２１は１／２ピッチずらすことにより、走行時のタイヤの振動、騒音を低減することができる。
【００２３】
本発明に係るラグセグメントを備えたタイヤの第８実施例を図１４により説明する。幅の広いリム１５Ａの外周部には幅方向に２列にＶ形状のラグセグメント２１，２１が相互に１／２ピッチずらして、ラグセグメント取付けボルト２０Ａにより締着されている。すなわち、図１２で説明した第７実施例と同様に１個のリム１５Ａでダブルタイヤを構成している。車体の最外側に配置された所定幅Ｔのラグセグメント２１と、その内側に隣接して配置されたラグセグメント２１との間には所定隙間Ｓが設けられている。ラグセグメント２１の幅Ｔは、一般車両のタイヤに用いられるタイヤチェーンに適合する幅に設定されており、隙間Ｓはタイヤチェーンの端部を挿入可能な寸法に設定されている。
【００２４】
本発明に係るラグセグメントを備えたタイヤの第９実施例を図１５，図１６により説明する。図１５R>５は正面図であり、図１６は側面図である。幅が広く、両端部にフランジ部１５Ｃ，１５Ｃを有するリム１５Ｂの外周には幅方向に２列にストレート形状のラグセグメント２１Ｃ，２１Ｃが相互に１／２ピッチずらして、それぞれ２本のラグセグメント取付けボルト２０Ａにより締着されている。車体の最外側に配置された所定幅Ｔのラグセグメント２１Ｃと、その内側に隣接して配置されたラグセグメント２１Ｃとの間には所定隙間Ｓが設けられている。凍結した道路等を走行する場合には、図に示すように車体の最外側に配置されたラグセグメント２１Ｃにタイヤチェーン２２を装着する。前述のようにラグセグメント２１Ｃの幅Ｔは、一般車両のタイヤに用いられるタイヤチェーン２２に適合する幅に設定されており、隙間Ｓはタイヤチェーン２２の端部を挿入可能な寸法に設定されている。これにより、一般車両のタイヤ用のタイヤチェーン２２を装着することが可能であり、ラグセグメント２１Ｃを備えたタイヤ用として特別なタイヤチェーンを製作する必要がないので、コストが安価である。また、外側ラグセグメント２１Ｃに、タイヤチェーンを係止することにより、走行時に車体とタイヤチェーンが干渉する恐れがない。
【００２５】
本発明に係るラグセグメントを備えたタイヤの第１０実施例を図１７により説明する。リム１５Ｂの外周には車体の最外側に幅Ｔのラグセグメント２１が配置され、その内側には隙間Ｓを設けて幅Ｔ１のラグセグメント２１Ｄが配置されている。この場合、Ｔ１＞Ｔである。最外側のラグセグメント２１には、図１５で説明した一般車両タイヤに用いられるタイヤチェーン２２が装着可能である。
【００２６】
本発明に係るラグセグメントを備えたタイヤの第１１実施例を図１８により説明する。リム１５Ｂの外周には車体の最外側に幅Ｔのラグセグメント２１が配置され、その内側には隙間Ｓを設けて幅Ｔ２のラグセグメント２１Ｅが配置され、さらにその内側には隣接して幅Ｔ３のラグセグメント２１Ｆが配置されている。すなわち、ラクセグメントを３列に配置したものである。最外側のラグセグメント２１には、図１５で説明した一般車両タイヤに用いられるタイヤチェーン２２が装着可能である。
【００２７】
図１４乃至図１８で説明したラグセグメントを備えたタイヤは、ラグセグメントの幅を最外側のラグセグメント２１の幅Ｔを、一般車両タイヤに用いられるタイヤチェーン２２に適合させ、隣接するラグセグメントとの隙間Ｓを、タイヤチェーン２２の端部が挿入可能な寸法となるようにすれば良い。
【００２８】
本発明のラグセグメントを備えたタイヤを装輪式建設車両で説明したが、これ以外のクレーン車、ホイールローダ等の建設車両、および産業車両に適用できることは言うまでもない。
【図面の簡単な説明】
【００２９】
【図１】装輪式建設車両の側面図である。
【図２】本発明に係るシングルタイヤ用リムを２個連結してダブルタイヤとしてラグセグメントを備えたタイヤの取付構造を説明する図である。
【図３】同、図２のＺ視図である。
【図４】同、図３のＹ視図である。
【図５】同、図４のＡ−Ａ断面図である。
【図６】（ａ）は本発明に係る第１実施例のラグセグメントをＶ型に取付けた構成、および（ｂ）はラグセグメントを逆Ｖ型に取付けた構成を説明する図である。
【図７】（ａ）は本発明に係る第２実施例のラグセグメントをＶ型に取付けた構成、および（ｂ）はラグセグメントを逆Ｖ型に取付けた構成を説明する図である。
【図８】（ａ）は本発明に係る第３実施例のストレート型のラグセグメントを取付けた構成、および（ｂ）はストレート型のラグセグメントを逆向きに取付けた構成を説明する図である。
【図９】（ａ）は本発明に係る第４実施例のストレート型のラグセグメントを取付けた構成、および（ｂ）はストレート型のラグセグメントを逆向きに取付けた構成を説明する図である。
【図１０】本発明に係る第５実施例の１／２ピッチずらして取付けるためのラグセグメントの配置を説明する図である。
【図１１】本発明に係る第６実施例の１／２ピッチずらして取付けるためのラグセグメントの配置を説明する図である。
【図１２】本発明に係る第７実施例の１個のリムの外周方向に２列のラグセグメントを配置したダブルタイヤの構成を説明する図である。
【図１３】同、平面図である。
【図１４】本発明に係る第７実施例のダブルタイヤにタイヤチェーンを装着するためのラグセグメントの配置を説明する図である。
【図１５】本発明に係る第８実施例のダブルタイヤにタイヤチェーンを装着するためのラグセグメントの配置を説明する図である。
【図１６】図１３のものの側面図である。
【図１７】本発明に係る第９実施例のダブルタイヤにタイヤチェーンを装着するためのラグセグメントの配置を説明する図である。
【図１８】本発明に係る第１０実施例のトリプルタイヤにタイヤチェーンを装着するためのラグセグメントの配置を説明する図である。
【図１９】従来のリムとラグセグメントを備えたタイヤを説明する図である。
【図２０】同、図１７のＸ視図でシングルタイヤを説明する図である。
【図２１】同、ダブルタイヤを説明する図である。
【図２２】同、（ａ），（ｂ）はＶ型または逆Ｖ型のラグセグメントに取付けるときのリムに設ける追加工する取付け孔を説明する図である。
【図２３】同、（ａ）は左側タイヤを示し、（ｂ）は（ａ）のＶ視図である。
【図２４】同、（ａ）は右側タイヤを示し、（ｂ）は（ａ）のＷ視図である。
【図２５】同、タイヤにタイヤチェーンを装着した状態を説明する図である。
【符号の説明】
【００３０】
１５，１５Ａ，１５Ｂリム
２０タイヤ
２０Ａラグセグメント取付けボルト
２０Ｂリム取付け孔
２１，２１Ａ，２１Ｂ，２１Ｃ，２１Ｄ，２１Ｅ，２１Ｆラグセグメント
２２タイヤチェーン
Ａ1第１取付け孔
Ａ2第２取付け孔
Ａ3第３取付け孔
Ｂ2第４取付け孔
Ｆ1第５取付け孔
Ｆ2第６取付け孔
Ｆ3第７取付け孔
Ｈ1第８取付け孔
Ｇ2第９取付け孔
Ａ基準点
Ｂ基準点
【図２】
2006089036.tif 000004
【図３】
2006089036.tif 000005
【図４】
2006089036.tif 000006
【図５】
2006089036.tif 000007
【図６】
2006089036.tif 000008
【図７】
2006089036.tif 000009
【図８】
2006089036.tif 000010
【図９】
2006089036.tif 000011
【図１０】
2006089036.tif 000012
【図１１】
2006089036.tif 000013
【図１２】
2006089036.tif 000014
【図１３】
2006089036.tif 000015
【図１４】
2006089036.tif 000016
【図１５】
2006089036.tif 000017
【図１６】
2006089036.tif 000018
【図１７】
2006089036.tif 000019
【図１８】
2006089036.tif 000020
【図１９】
2006089036.tif 000021
【図２０】
2006089036.tif 000022
【図２１】
2006089036.tif 000023
【図２２】
2006089036.tif 000024
【図２３】
2006089036.tif 000025
【図２４】
2006089036.tif 000026
【図２５】
2006089036.tif 000027
【図１】
2006089036.tif 000028